(57)【要約】【課題】表示装置等の機器に使用する照明装置であって、機器の周辺を照明することができるように構成された照明部を備えており、照明部にて発生した熱を放熱することができる照明装置及び当該照明装置を備える表示装置を提供する。【解決手段】前面に画像表示面を有する表示ユニットと、表示ユニットを背面から支持するシャーシ４と、表示ユニットに表示される画像に応じて駆動される複数のＬＥＤ５ａ，５ａ…とを備え、表示ユニットにて発生した熱をシャーシ４から放熱するように構成してある表示装置において、シャーシ４に伝熱可能なように複数のＬＥＤ５ａ，５ａ…を設けることにより、ＬＥＤ５ａ，５ａ…にて発生した熱をシャーシ４から空気中に拡散させているから、ＬＥＤ５ａ，５ａ…からの熱を放熱する新たな放熱板は必要とせず、表示装置の厚みの増加を抑制しつつ、ＬＥＤ５ａ，５ａ…にて発生した熱を放熱することができる。【選択図】図３
2009021054.tif 000002
【特許請求の範囲】
【請求項１】
表示装置等の機器に使用する照明装置であって、
前記機器の支持体を、前記照明装置の照明部からの熱を放熱する放熱部として用いることを特徴とする照明装置。
【請求項２】
表示装置等の機器に使用し、該機器の周辺を照明する照明部を備える照明装置であって、
前記照明部は、前記機器を支持する支持体に取り付けられ、該支持体にて前記照明部からの熱を放熱することを特徴とする照明装置。
【請求項３】
前記照明部は、前記支持体に放熱体を介して設けられていることを特徴とする請求項１または請求項２に記載の照明装置。
【請求項４】
前記放熱体は、前記照明部及び前記支持体の間に通風路を形成するように構成してあることを特徴とする請求項３記載の照明装置。
【請求項５】
前記照明部は、ＬＥＤ発光部であることを特徴とする請求項１から４の何れか１つに記載の照明装置。
【請求項６】
請求項１から請求項５の何れか１つに記載の照明装置を備えた表示装置。
【請求項７】
前面に画像表示面を有する表示部と、該表示部を背面から支持する支持体と、前記表示部に表示される画像に応じて前記画像表示面の周辺を照明するＬＥＤとを備え、前記表示部にて発生した熱を前記支持体から放熱するように構成してある表示装置において、前記ＬＥＤは、前記支持体に伝熱可能に設けてあることを特徴とする表示装置。
【発明の詳細な説明】
【技術分野】
【０００１】
本発明は、表示装置等の機器に使用する照明装置であって、表示装置等の機器の周辺を照明する照明部を有する照明装置である。
【背景技術】
【０００２】
近年、一般家庭において、大型の表示装置を用いて、所謂ホームシアターの環境下にて、ＡＶ（オーディオ・ビジュアル）コンテンツを視聴することが広まりつつある。
【０００３】
このような大型の表示装置にてＡＶコンテンツを視聴する際には、室内を若干暗くした方が、迫力のある画像をより楽しむことができる。このとき、表示された画像と表示装置の背後の壁との輝度差が大きい場合、目が疲れ易くなるという問題があった。そこで、従来、表示装置の背面及び／又は周辺の壁に光を照射して反射した光により表示装置の周辺を間接的に照明することが提案されている。このとき、照明手段を用いて画像表示面の周辺を適切に照明することにより、画像に広がりをもたせることができ、臨場感を高めることが可能となる。
【０００４】
近年、更に臨場感を高めるべく、光源に発光ダイオード（以下、ＬＥＤと言う）を用いて、光の色及び明るさを自由に変化させるように構成された照明手段を備える表示装置が種々提案されている（例えば、特許文献１参照）。
【０００５】
特許文献１に開示された表示装置は、画像表示面の周辺を照明するように表示装置の筐体であるフレームに設けられたＬＥＤを光源とする照明手段を備え、前記画像表示面に表示される画像の色情報の変化に連動してＬＥＤが発する光の色及び明るさを変化させるように構成してある。
【特許文献１】特開２００５−２５１５０８号公報
【発明の開示】
【発明が解決しようとする課題】
【０００６】
特許文献１に開示された表示装置においては、画像表示面の周囲を照明するように構成してある。このような表示装置においては、臨場感を増すべく、ＬＥＤからの光により画像を効果的に演出するために、照明手段を多数のＬＥＤにより構成する必要がある。ＬＥＤは消費電力の約７０％が熱に変換されるため、ＬＥＤからの発熱量が多く、ＬＥＤの温度が上昇することから、このような照明手段を備える表示装置においては、ＬＥＤの温度の上昇に伴って、封止樹脂の劣化が早くなりＬＥＤの寿命特性が悪化すると共に、発光効率が低下し、必要な光量を確保し難くなるという問題があった。
【０００７】
このため、ＬＥＤにて発生した熱を空気中に拡散すべく、ＬＥＤからの熱を放熱する放熱機構を設ける必要がある。しかし、特許文献１に開示された表示装置においては、表示装置に設けられたＬＥＤからの熱の放熱について全く考慮されておらず、ＬＥＤの発光部及び表示装置の信頼性に問題があった。
【０００８】
また、空間の有効利用及び最適視聴距離の確保の観点から、可能な限り表示装置の厚みを薄くしたいという要望がある。ところが、ＬＥＤの温度上昇を抑制すべく、照明手段に放熱板等の放熱機構を設ける場合、この放熱板等の放熱機構の分だけ表示装置の厚みが増すことになり好ましくない。
【０００９】
本発明は斯かる事情に鑑みてなされたものであり、表示装置等の機器に使用する照明装置であって、機器の周辺を照明することができるように構成された照明部を備えており、照明部にて発生した熱を放熱することができる照明装置及び当該照明装置を備える表示装置を提供することを目的とする。
【課題を解決するための手段】
【００１０】
本発明に係る照明装置は、表示装置等の機器に使用する照明装置であって、機器の支持体を、照明装置の照明部からの熱を放熱する放熱部として用いることを特徴とする。
【００１１】
本構成により、本発明に係る照明装置は、使用される機器の支持体に照明装置の照明部で発生した熱を有効に放熱することが可能である。
【００１２】
本発明に係る照明装置は、表示装置等の機器に使用し、機器の周辺を照明する照明部を備える照明装置であって、照明部は、機器を支持する支持体に取り付けられ、支持体にて照明部からの熱を放熱することを特徴とする。
【００１３】
本構成により、本発明に係る照明装置は、使用される機器の支持体に照明装置の照明部で発生した熱を有効に放熱することが可能である。また、機器周辺を照明する間接照明が可能である。
【００１４】
本発明に係る照明装置は、照明部は、支持体に放熱体を介して設けられていることを特徴とする。
【００１５】
本構成により、本発明に係る照明装置は、照明部の熱を機器の支持体により効果的に放熱することが可能となる。
【００１６】
本発明に係る照明装置は、放熱体は、照明部及び支持体の間に通風路を形成するように構成してあることを特徴とする。
【００１７】
本構成により、本発明に係る照明装置は、照明部及び支持体間に放熱体により通風路を形成しており、照明部にて発生した熱の一部を通風路にて流速が増した空気に伝達することにより放熱しているから、支持体への熱負荷を軽減しつつＬＥＤにて発生した熱を更に十分に放熱することができる。
【００１８】
本発明に係る照明装置は、照明部は、ＬＥＤ発光部であることを特徴とする。
【００１９】
本構成により、本発明に係る照明装置は、照明部の色及び明るさを容易に変化させることが可能である。
【００２０】
本発明に係る表示装置は、上記何れかの照明装置を備えた表示装置である。
【００２１】
本構成により、本発明に係る表示装置は、表示装置の支持体にて照明装置の照明部で発生した熱を有効に放熱することが可能である。また、表示周辺を照明する間接照明が可能であり、特に画像表示に連動して、照明装置の色及び明るさを制御することにより、視聴者は表示画像の広がりを感じることができ、より臨場感溢れるＡＶコンテンツを楽しむことができる。
【００２２】
本発明に係る表示装置は、前面に画像表示面を有する表示部と、該表示部を背面から支持する支持体と、前記表示部に表示される画像に応じて前記画像表示面の周辺を照明するＬＥＤとを備え、前記表示部にて発生した熱を前記支持体から放熱するように構成してある表示装置において、前記ＬＥＤは、前記支持体に伝熱可能に設けてあることを特徴とする。
【００２３】
本構成により、本発明に係る表示装置は、表示部を支持すると共に該表示部にて発生した熱を放熱するように構成された支持体に、画像表示面の周辺を照明するＬＥＤを伝熱可能に設けており、該ＬＥＤにて発生して支持体に伝達された熱を、表示部から支持体に伝達された熱と共に支持体から空気中に拡散させることにより、ＬＥＤの温度上昇を抑制している。支持体がＬＥＤからの熱を放熱する放熱板を兼ねているから、表示装置の厚みの増加を抑制しつつ、ＬＥＤにて発生した熱を放熱することができる。
【発明の効果】
【００２４】
本発明によれば、表示装置等の機器の支持体に取り付けられた照明装置の照明部で発生した熱を有効に放熱することが可能である。
【発明を実施するための最良の形態】
【００２５】
以下、本発明をその実施の形態を示す図面に基づいて、液晶テレビと、液晶テレビに使用されるＬＥＤ照明装置を例示して詳述する。
（実施の形態１）
図１は、本発明の実施の形態１に係る照明装置が使用される表示装置を背面から見た斜視図であり、図２は、実施の形態１に係る表示装置の分解斜視図である。
【００２６】
図において１は、フレームであり、矩形窓を有する矩形枠部１ａと、該矩形枠部１ａの外縁から略直交して後方に延びる４側壁１ｂ，１ｂ…とを備えてなる。フレーム１の矩形枠部１ａの背面には、円柱状の嵌合突起１ｃ，１ｃ…が４隅に夫々設けてある。
【００２７】
このフレーム１には、図１に示すように、リアカバー２が嵌め合わされている。リアカバー２は、図２に示すように、一面開口の扁平な筐体であり、矩形平板２ａと、該矩形平板２ａの外縁から略直交して前方に延びる矩形状の４側壁２ｂ，２ｂ…とを備えている。リアカバー２の両側の側壁２ｂ，２ｂには、後述するＬＥＤ発光部取付用の細長い矩形窓２ｃ，２ｃが形成してある。リアカバー２の上面には、複数のスリットからなる排気口２ｄが、リアカバー２の矩形平板２ａの下側には、複数のスリットからなる吸気口２ｅが夫々設けてある。また、リアカバー２の矩形平板２ａの前面には、フレーム１に設けられた嵌合突起１ａ，１ａ…に嵌合する嵌合穴（図示せず）が４隅に形成してある。
【００２８】
フレーム１及びリアカバー２により形成される外装材の内部には、テレビ画像を表示する表示ユニット（表示部）３と、該表示ユニット３を支持する支持体としてのシャーシ４とが収納してある。
【００２９】
表示ユニット３は、扁平な直方体をなし、前面に画像表示面を有する本体部３ａと、該本体部３ａの画像表示面の側に設けられ、矩形窓を有する矩形平板である取付板３ｂとを備えている。取付板３ｂには、４隅から上下方向に夫々延びる延設部に貫通孔３ｃ，３ｃ…が夫々形成してある。表示ユニット３の本体部３ａは、画像表示面を有する液晶のパネルと、光学シートと、拡散板と、バックライト部とを備えてなるそれ自体公知の構成を有している。
【００３０】
表示ユニット３は、該表示ユニット３の背面の側にて、アルミニウム製の支持体であるシャーシ４に支持されている。シャーシ４は、矩形平板４ａと、該矩形平板４ａの短手方向の両端から直交して前方に延びる２つの矩形側壁４ｂ，４ｂと、矩形平板４ａ及び矩形側壁４ｂ，４ｂの長手方向の両端に該両端から直交する方向に内向きに形成された略Ｕ字形をなす縁部４ｃ，４ｃと、矩形側壁４ｂ，４ｂの短手方向の端部から矩形平板４ａと平行をなして外向きに形成された取付部４ｄ，４ｄ…とを備えている。なお、この取付部４ｄ，４ｄ…には、表示ユニット３をシャーシ４に嵌め合わせたときに、表示ユニット３の取付板３ｂの貫通孔３ｃ，３ｃ…と一致する位置に貫通孔４ｅ，４ｅ…が夫々形成してある。また、バックライト部として、バックライトの光源としてのＬＥＤと、該ＬＥＤからの光を導く導光板とを備え、前記ＬＥＤを導光板の側面に配置した、所謂サイドエッジタイプ構造を採用している場合は、２つの矩形側壁４ｂ，４ｂの内面にバックライトの光源であるＬＥＤが取付けられている。
【００３１】
シャーシ４の縁部４ｃ，４ｃには、画像表示面の周辺を照明する間接照明用のＬＥＤ発光部５，５が夫々取付けてある。図３は、実施の形態１に係る表示装置のシャーシ４の概略図である。図３（ａ）は、シャーシ４を背面から見た外観図であり、図３（ｂ）は、図３（ａ）の III‐III 線による断面図である。
【００３２】
図３に示すように、機器周辺を照明する照明部はＬＥＤ発光部からなり、ＬＥＤ発光部５，５は、例えば、複数のＬＥＤ５ａ，５ａ…と、該複数のＬＥＤ５ａ，５ａ…が実装された細長い矩形を有するＬＥＤ基板５ｂ，５ｂと、ＬＥＤ基板５ｂ，５ｂのＬＥＤ５ａ，５ａ…の実装面側にＬＥＤ５ａ，５ａ…を覆うように設けられた有底半円筒形をなすＬＥＤカバー５ｃ，５ｃとを備えている。
【００３３】
図中に矩形にて示しているＬＥＤ５ａ，５ａ…は、ＬＥＤ素子と、外気から遮断すべく、該ＬＥＤ素子を封止する封止樹脂と、入力及び出力電極とを備えてなる表面実装型ＬＥＤである。
【００３４】
ＬＥＤ基板５ｂ，５ｂは、ガラス繊維を含有するエポキシ樹脂製の平板であり、長手方向が上下方向になるように非実装側の面の全面にてシャーシ４の縁部４ｃ，４ｃに密着させて、例えばネジ等により固定されている。
【００３５】
ＬＥＤカバー５ｃ，５ｃは、ポリカーボネート樹脂製であり、光を拡散する拡散剤が添加されている。ＬＥＤカバー５ｃ，５ｃの樹脂中に添加された拡散剤により、屈折率の不連続変化箇所が樹脂中に存在することになり、この屈折率の不連続変化箇所にてＬＥＤ５ａ，５ａ…からの光が散乱されるから、ＬＥＤ５ａ，５ａ…からの光が和らげられることになる。
【００３６】
シャーシ４の背面には、図２に示す如く、表示装置の電源回路、制御回路等が形成された回路基板６，６…が配してある。また、シャーシ４の背面の下側には、ＬＥＤ発光部５，５の制御回路、駆動回路等が形成されたＬＥＤ回路基板７が配してある。
【００３７】
表示装置は、表示ユニット３、シャーシ４及びリアカバー２を貫通孔３ｃ，３ｃ…,４ｅ，４ｅ…及び嵌合穴（図示せず）の位置を合わせた状態にて重ね合わせ、フレーム１を画面表示面の側から表示ユニット３に被せ、フレーム１の嵌合突起１ａ，１ａ…をリアカバー２の嵌合穴に嵌め込むことにより一体化される。なお、ＬＥＤ発光部５，５は、図３に示すように、二点鎖線にて示しているリアカバー２の矩形窓２ｃ，２ｃから表示装置の外部に向けて光を出射することができるようにシャーシ４の縁部４ｃ，４ｃに取付けてある。
【００３８】
図４は、実施の形態１に係る表示装置の間接照明用のＬＥＤ発光部５，５の制御系の構成を示すブロック図である。回路基板６には、表示画像信号出力部６１が形成してあり、該表示画像信号出力部６１には、ＬＥＤ回路基板７に形成されたサンプリング回路７１が接続してある。表示画像信号出力部６１は、表示装置が受信し、画像表示面に表示される画像の画像信号である赤色（Ｒ）、緑色（Ｇ）、青色（Ｂ）の色信号（以下、ＲＧＢ信号という）及び輝度信号（以下、Ｙ信号という）をサンプリング回路７１に与える。
【００３９】
サンプリング回路７１は、表示画像信号出力部６１により与えられたＲＧＢ信号及びＹ信号から予め定めた規則に基づいて信号を抽出する。例えば、画像表示面の主要注視部の範囲にある各画素のＲＧＢ信号及びＹ信号を取り出すように構成してもよいし、人の顔などの肌色部分の画素を取り除いた残りの部分を背景部と考え、その背景部の各画素のＲＧＢ信号及びＹ信号を取り出すように構成してもよいし、画像表示面の画像の全画素のＲＧＢ信号及びＹ信号を取り出すように構成してもよい。
【００４０】
サンプリング回路７１には、ＬＥＤ回路基板７に形成された演算回路７２が接続されており、サンプリング回路７１は、抽出したＲＧＢ信号及びＹ信号を演算回路７２に与える。演算回路７２は、与えられたＲＧＢ信号及びＹ信号を用いて平均値を求め、求めたＲＧＢ信号及びＹ信号の平均値に基づいて間接照明の適正な色度及び照度を求め、求めた色度及び照度を実現すべく決定したデューティ比のパルス信号をＲＧＢの各単色ＬＥＤ毎に生成する。
【００４１】
演算回路７２には、ＬＥＤ回路基板７に形成されたＬＥＤ駆動回路７３が接続されており、演算回路７２は、生成したデューティ比のパルス信号をＬＥＤ駆動回路７３に与える。ＬＥＤ駆動回路７３は、スイッチング素子を備えており、与えられたデューティ比のパルス信号に応じてスイッチング素子を開閉して、ＬＥＤ発光部５，５のＲＧＢの各単色ＬＥＤ５ａ，５ａ…に供給される電流を制御する。
【００４２】
ＬＥＤ発光部５，５に設けられたＲＧＢの各単色ＬＥＤ５ａ，５ａ…は、ＬＥＤ駆動回路７３により与えられた電流に応じて夫々調光制御されることとなり、この結果、画像表示面に表示される画像の色及び明るさに連動して、間接照明用のＬＥＤ５ａ，５ａ…の色及び明るさが制御されることになる。画像表示面の周囲は、ＬＥＤ発光部５，５のＲＧＢの各単色ＬＥＤ５ａ，５ａ…からの光が混ざり合った状態にて照明される。
【００４３】
図５は、実施の形態１における間接照明の態様を模式的に示す図である。このように表示ユニット３の画像表示面の両側に設けられたＬＥＤ発光部５，５からの光は、表示装置から離れるに従って徐々に弱くなる単一色の光であり、画像表示面の正面にいる視聴者の視界には直接入らず、視聴者は、ＬＥＤ発光部５，５による表示装置の周囲への間接照明を楽しむことになる。以上のように間接照明の色及び明るさを制御することにより、視聴者は表示画像の広がりを感じることができ、より臨場感溢れるＡＶコンテンツを楽しむことができる。
【００４４】
以上のように構成された間接照明用のＬＥＤ発光部５，５を備える表示装置において、画像の表示及びそれに連動したＬＥＤ発光部５，５のＬＥＤ５ａ，５ａ…の発光に応じて、主として表示ユニット３のバックライト部とＬＥＤ発光部５，５のＬＥＤ５ａ，５ａ…において熱が発生する。表示ユニット３にて発生した熱は、該表示ユニット３を背面から支持するシャーシ４に伝達される。また、ＬＥＤ発光部５，５のＬＥＤ５ａ，５ａ…にて発生した熱は、ＬＥＤ基板５ｂ，５ｂを介してシャーシ４に伝達される。表示装置内部の空気は、これらの発熱により暖められ、上昇してリアカバー２の上面に設けられた排気口２ｄから表示装置の外部に流出する一方、リアカバー２の背面の下側に設けられた吸気口２ｅから外部の空気が流入して、シャーシ４に沿って上昇する。この自然対流により、表示ユニット３にて発生した熱と共に、ＬＥＤ発光部５，５にて発生した熱がシャーシ４から空気中に拡散されるから、ＬＥＤ５ａ，５ａ…の温度上昇が抑制される。このようにシャーシ４がＬＥＤ５ａ，５ａ…からの熱を放熱する放熱部を兼ねているから、表示装置の厚みの増加を抑制しつつ、ＬＥＤ５ａ，５ａ…にて発生した熱を放熱することができる。
【００４５】
（実施の形態２）
図６は、本発明の実施の形態２に係る照明装置が使用される表示装置のシャーシの概略図である。図６（ａ）は、シャーシ４を背面から見た外観図であり、図６（ｂ）は、図６（ａ）のVI‐VI線による断面図である。
【００４６】
図６に示すように、ＬＥＤ発光部５，５のＬＥＤ基板５ｂ，５ｂとシャーシ４の縁部４ｃ，４ｃとの間には、放熱体８，８…が介装してある。放熱体８，８…は、矩形断面を有する細長いアルミニウム製の角柱であり、ＬＥＤ基板５ｂ，５ｂ（ＬＥＤ５ａ，５ａ）とシャーシ４との間に、ＬＥＤ基板５ｂ，５ｂと平行して延びる通風路８ａ，８ａ…を形成するように、等配をなして取付けてある。その他の構成は、図３に示す実施の形態１と同様であるため、対応する構成部材に図３と同一の参照符号を付して、その構成の詳細な説明を省略する。
【００４７】
以上のように構成された本実施の形態に係る表示装置においては、画像の表示及びそれに連動したＬＥＤ発光部５，５のＬＥＤ５ａ，５ａ…の発光に応じて、主として表示ユニット３のバックライト部とＬＥＤ発光部５，５のＬＥＤ５ａ，５ａ…において熱が発生する。表示ユニット３にて発生した熱は、該表示ユニット３を背面から支持するシャーシ４に伝達される。また、ＬＥＤ発光部５，５のＬＥＤ５ａ，５ａ…にて発生した熱は、ＬＥＤ基板５ｂ，５ｂ及び放熱体８，８…を介してシャーシ４に伝達される。表示装置内部の空気は、これらの発熱により暖められ、上昇してリアカバー２の上面に設けられた排気口２ｄから表示装置の外部に流出する一方、リアカバー２の背面の下側に設けられた吸気口２ｅから外部の空気が流入して、シャーシ４及び通風路８ａ，８ａ…に沿って上昇する。この自然対流により、表示ユニット３にて発生した熱と共に、ＬＥＤ発光部５，５にて発生した熱がシャーシ４から空気中に拡散されるから、ＬＥＤ５ａ，５ａ…の温度上昇が抑制される。ＬＥＤ５ａ，５ａ…にて発生した熱の一部は、通風路８ａ，８ａ…にて流速が増した空気に効率的に伝達されるから、シャーシ４への熱負荷を軽減しつつＬＥＤ５ａ，５ａ…にて発生した熱を更に十分に放熱することができる。
【００４８】
なお、本実施の形態において、放熱体８，８…は、ＬＥＤ基板５ｂ，５ｂとシャーシ４との間にＬＥＤ基板５ｂ，５ｂと平行して延びる通風路８ａ，８ａ…を各２つ形成するように構成してあるが、これに限定されず、通風路を1つ又は３以上形成するように構成してもよいし、通風路ではなく、放熱用のフィンを有するように構成してもよい。
【００４９】
（実施の形態３）
図７は、本発明の実施の形態３に係る照明装置が使用される表示装置の部分断面図である。図７に示すように、リアカバー２の矩形窓２ｃ，２ｃには、該矩形窓２ｃ，２ｃと同形状の透明ガラス２０，２０が嵌め込まれている。リアカバー２及びシャーシ４間には、ＬＥＤ基板５ｂ，５ｂと略同じ長さの細長い矩形平板状の反射板９，９…がＬＥＤ基板５ｂ，５ｂの両側に該ＬＥＤ基板５ｂ，５ｂの略全長に亘って設けてある。反射板９，９…は、可視光領域に亘って、高全反射率（約９８％）及び高拡散反射率（約９５％）という光学特性を有する超微細発泡光反射板（例えば、ＭＣＰＥＴ（登録商標））である。その他の構成は、図３に示す実施の形態１と同様であるため、対応する構成部材に図３と同一の参照符号を付して、その構成の詳細な説明を省略する。
【００５０】
以上のように構成された本実施の形態に係る表示装置においては、画像の表示に連動してＬＥＤ５ａ，５ａ…が発光したときに、ＬＥＤ５ａ，５ａ…からの光は、大部分はそのまま透明ガラス２０，２０から外部に出射し、残りの部分は反射板９，９…に入射し、反射板９，９…の内部に多数形成された超微細な気泡の界面において多段階に乱反射された後、透明ガラス２０，２０から外部に出射することになる。この結果、ＬＥＤ５ａ，５ａ…からの光が表示装置の内部に漏れることなく、表示装置の外部に光を効果的に取り出すことができる。また、シャーシ２からＬＥＤ発光部が突出していないから、美観にも資する。なお、透明ガラス２０，２０の内面に、透明ガラス２０，２０を通過して照射される光が均一になるように光を拡散すべく、微細なレンズが多数形成されたマイクロレンズシートを貼り付けてもよい。
【００５１】
（実施の形態４）
以上の実施の形態においては、画像表示面の側方を間接照明するように構成してあるが、側方に加えて上方を間接照明するように構成することが考えられる。図８は、本発明の実施の形態４に係る照明装置が使用される表示装置の背面側の部分断面図である。図８に示すように、リアカバー２の矩形平板２ａの上側には、細長い矩形窓２ｆが左右方向の適長に亘って形成してある。矩形窓２ｆには、該矩形窓２ｆと同形状の透明ガラス２１が嵌め込まれている。
【００５２】
一方、シャーシ４の背面の上側には、直角三角形の断面形状を有する細長いアルミニウム製の三角柱状をなす放熱体１８が、該放熱体１８の斜面１８ａを透明ガラス２１に対向させ、放熱体１８の長手方向をシャーシ４の左右方向に一致させ、放熱体１８の一面をシャーシ４の矩形平板４ａに密着させるように取り付けてある。なお、放熱体１８の形状は、表示装置の組立状態にて放熱体１８の一辺がリアカバー２の内面に接するように決定してある。
【００５３】
放熱体１８の斜面１８ａには、複数のＬＥＤ１５ａ，１５ａ…が実装されたＬＥＤ基板１５ｂが、非実装側の略全面にて密着させて固定してある。
【００５４】
リアカバー２及びシャーシ４間には、ＬＥＤ基板１５ｂと略同じ長さの細長い矩形平板状の反射板１９がＬＥＤ基板１５ｂの斜め上方に、図8に示すごとく、放熱体１８、反射板１９及びリアカバー２によりＬＥＤ１５ａ，１５ａ…を囲繞するように、ＬＥＤ基板１５ｂの略全長に亘って設けてある。反射板１９は、可視光領域に亘って、高全反射率（約９８％）及び高拡散反射率（約９５％）という光学特性を有する超微細発泡光反射板（例えば、ＭＣＰＥＴ（登録商標））である。
【００５５】
以上のように構成された本実施の形態に係る表示装置においては、画像の表示に連動して、ＬＥＤ１５ａ，１５ａ…が発光したときに、ＬＥＤ１５ａ，１５ａ…からの光は、大部分はそのまま透明ガラス２１から外部に出射し、残りの部分は反射板１９にて反射した後、透明ガラス２１から外部に出射することになる。この結果、ＬＥＤ１５ａ，１５ａ…からの光が表示装置の内部に漏れることなく、表示装置の外部に光を効果的に取り出すことができる。また、ＬＥＤ１５ａ，１５ａ…は、斜め上向きに光を発するようにシャーシ４の背面に設けてあるから、ＬＥＤ１５ａ，１５ａ…からの光を表示装置の背後の壁に照射して、画像表示面の上辺を縁取るように照明することができる。なお、ＬＥＤ基板１５ｂと平行して斜め上向きに延びる通風路を形成するように放熱体及びシャーシを構成してもよい。
【００５６】
なお、以上の実施の形態においては、シャーシ、放熱体の素材として、熱伝導性の良いアルミニウムを用いているが、他の金属でも熱伝導性が良い素材であれば、好適に用いることができる。また、金属に限定されず、樹脂等であってもよい。
【００５７】
また、以上の実施の形態においては、ＬＥＤ発光部を表示画面の側方及び／又は上方を間接照明するように設けているが、これに限定されず、表示画面の下方を間接照明するように設けてもよい。
【００５８】
また、以上の実施の形態においては、自然対流により空冷を行う表示装置に間接照明用の照明装置を設けた場合について説明したが、これに限定されず、本発明に係る照明装置は、ファンを内部に備え、強制対流により空冷を行う表示装置にも適用可能である。
【００５９】
また、発光部にＬＥＤを用いた照明装置を例示したが、光源はＬＥＤに限定されず、冷陰極管蛍光ランプ（ＣＣＦＬ）等の蛍光灯及びＥＬ（ｅｌｅｃｔｒｏｌｕｍｉｎｅｓｃｅｎｃｅ）等の他の光源であってもよい。
【００６０】
更に、以上の実施の形態において、表示装置として液晶テレビを例に説明したが、これに限定されず、液晶テレビ以外の液晶表示装置、プラズマ表示装置、ＥＬディスプレイ等の表示装置にも適用可能であり、その他、特許請求の範囲に記載した事項の範囲内において種々変更した形態にて実施することが可能であることは言うまでもない。
【００６１】
更に、表示装置以外の機器においても本発明は適用でき、使用される機器の支持体にて放熱を行うことにより放熱が有効に行える照明装置とすることができる。なお、表示装置以外の機器に使用する場合には、表示画像と連動させるのではなく、時刻や季節といった時間情報に連動して、例えばＬＥＤ発光部の照明部の色度を変化させることができ、間接照明として照明機器を用いることができる。
【図面の簡単な説明】
【００６２】
【図１】本発明の実施の形態１に係る表示装置を背面から見た斜視図である。
【図２】実施の形態１に係る表示装置の分解斜視図である。
【図３】実施の形態１に係る表示装置のシャーシの概略図である。
【図４】実施の形態１に係る表示装置の間接照明用のＬＥＤ発光部の制御系の構成を示すブロック図である。
【図５】実施の形態１における間接照明の態様を模式的に示す図である。
【図６】実施の形態２に係る表示装置のシャーシの概略図である。
【図７】本発明の実施の形態３に係る表示装置の部分断面図である。
【図８】本発明の実施の形態４に係る表示装置の背面側の部分断面図である。
【符号の説明】
【００６３】
１  フレーム
２  リアカバー
２ｃ，２ｆ  矩形窓
３  表示ユニット（表示部）
４  シャーシ（支持体、放熱部）
５  ＬＥＤ発光部（照明部）
５ａ，１５ａ  ＬＥＤ
５ｂ，１５ｂ  ＬＥＤ基板
８，１８  放熱体
８ａ  通風路
９，１９  反射板
２０，２１  透明ガラス
【図１】
2009021054.tif 000003
【図２】
2009021054.tif 000004
【図３】
2009021054.tif 000005
【図４】
2009021054.tif 000006
【図５】
2009021054.tif 000007
【図６】
2009021054.tif 000008
【図７】
2009021054.tif 000009
【図８】
2009021054.tif 000010